(57)【要約】      （修正有）【課題】領域の区画のみではなく人身の防護が可能であり、さらに転倒しにくく、容易に元の平坦な状態に戻すことができる屋外イベント用防護柵の設置構造を提供する。【解決手段】屋外においてイベント会場領域とその他の領域を区画するための屋外イベント用防護柵Sの設置構造において、防護柵Ｓは、少なくとも、複数の金属製の支柱１と、前記支柱１，１相互間に架設一体化された金属製の棒材２０（又は板材）を備えており、支柱１の下端部を地面Ｔに形成した孔ｈに挿入する態様で設置される。【選択図】図２
2007205041.tif 000002
【特許請求の範囲】
【請求項１】
屋外においてイベント会場領域とその他の領域を区画するための屋外イベント用防護柵の設置構造において、防護柵は、少なくとも、複数の金属製の支柱と、前記支柱相互間に架設一体化された金属製の棒材又は板材を備えており、支柱の下端部を地面に形成した孔に挿入する態様で設置されることを特徴とする屋外イベント用防護柵の設置構造。
【請求項２】
防護柵を構成する金属は、鋼材又はステンレス材であることを特徴とする請求項１記載の屋外イベント用防護柵の設置構造。
【請求項３】
地面に形成された孔は、地中に直立状態で埋め込まれた有底パイプにより構成されていることを特徴とする請求項１又は２記載の屋外イベント用防護柵の設置構造。
【請求項４】
孔の開口となる有底パイプの上端には、孔を塞ぐための蓋が開閉自在に設けてあることを特徴とする請求項３記載の屋外イベント用防護柵の設置構造。
【発明の詳細な説明】
【技術分野】
【０００１】
この発明は、屋外においてイベント会場領域とその他の領域を区画するための防護柵の設置構造（屋外イベント用防護柵の設置構造）に関するものである。
【背景技術】
【０００２】
近年、コンサート等のイベントが屋外で数多く開催されるようになってきている。このようなイベントが模様される場合、イベント会場領域とその他の領域とを明確にするため区画するため、柵が設けられる。
【０００３】
上記柵は、ベース板上に直立パイプを立設して成る支柱と、隣り合う支柱相互間に掛け渡されるチェーンから構成されている。したがって、この柵は平地であればどこにでも設置できる。
【０００４】
しかしながら、上記柵は単に支柱を地面上に載置されているだけであり、これにチェーンを掛け渡しているだけであるから、単に領域を区画するだけである。すなわち、例えば誤操縦により自動車がイベント会場領域内に進入しようとしたとき、上記の如き柵では人身を守るという防護の役目は全く果さない。また、横方向の外力が加わると比較的簡単に転倒してしまう。
【０００５】
屋外でのイベントを企画する関係者の間では、領域の区画のみではなく人身の防護が可能で、更に転倒しにくい屋外イベント用防護柵の設置構造が創作されることを待ち望んでいる。
【０００６】
なお、車両用防護柵としては例えば特許文献１の如きものもあるが、支柱がコンクリートにボルト止めするものであるから、位置変えが多い屋外イベント用防護柵としては不向きである。
【特許文献１】特開２００５−７６３４９
【発明の開示】
【発明が解決しようとする課題】
【０００７】
そこで、この発明では、領域の区画のみではなく人身の防護が可能であり、さらに転倒しにくく、容易に元の平坦な状態に戻すことができる屋外イベント用防護柵の設置構造を提供することを課題とする。
【課題を解決するための手段】
【０００８】
（請求項１記載の発明）
この発明は、屋外においてイベント会場領域とその他の領域を区画するための屋外イベント用防護柵の設置構造において、防護柵は、少なくとも、複数の金属製の支柱と、前記支柱相互間に架設一体化された金属製の棒材又は板材を備えており、支柱の下端部を地面に形成した孔に挿入する態様で設置されるものとしている。
（請求項２記載の発明）
この発明の屋外イベント用防護柵の設置構造は、上記請求項１記載のいずれかに記載の発明に関し、防護柵を構成する金属は、鋼材又はステンレス材である。
（請求項３記載の発明）
この発明の屋外イベント用防護柵の設置構造は、上記請求項１又は２記載の発明に関し、地面に形成された孔は、地中に直立状態で埋め込まれた有底パイプにより構成されている。
（請求項４記載の発明）
この発明の屋外イベント用防護柵の設置構造は、上記請求項３記載の発明に関して、孔の開口となる有底パイプの上端には、孔を塞ぐための蓋が開閉自在に設けてある。
【発明の効果】
【０００９】
この発明の屋外イベント用防護柵の設置構造によると、領域の区画のみではなく人身の防護が可能であり、転倒しにくく、容易に元の平坦な状態に戻すことができる。
【発明を実施するための最良の形態】
【００１０】
以下にこの発明の屋外イベント用防護柵の設置構造を実施するための最良の形態として実施例について詳しく説明する。
【実施例１】
【００１１】
図１はこの発明の実施例１における屋外イベント用防護柵Ｓの正面図及び地面に形成した孔ｈの断面図、図２は前記屋外イベント用防護柵Ｓの支柱１，１を地面に形成した孔ｈに挿入した状態を示す説明図、図３の（ａ）は孔ｈを閉蓋した状態を示すと共に支柱１の下域部を示した図であり、（ｂ）は孔ｈに対して支柱１を抜け止め状態にした図、図４は孔ｈに対して支柱を抜け止めした状態の斜視図を示している。
（この屋外イベント用防護柵Ｓについて）
この屋外イベント用防護柵Ｓは、屋外においてイベント会場領域とその他の領域を区画するためのものであり、図１や図２に示すように、二本の金属製の支柱１，１と、前記支柱１，１相互間に架設一体化された三本の金属製の棒材２０，２０，２０から成る中間部２と、前記棒材２０と同じ棒材３０で形成され且つ支柱１に一体化されたE型、逆E型のエンド部３から構成されている。
【００１２】
支柱１は、直径１００mm程度のパイプ材により構成されており、図１に示すように、その上部にはその開口部を塞ぐ先端部材が嵌め込まれている。
【００１３】
また、棒材２０及び棒材３０は、直径４０ｍｍ程度のパイプ材により構成されている。
【００１４】
なお、この屋外イベント用防護柵Ｓは、全て鋼材又はステンレス材で構成してあり、全体として強い強度を有するものとしてある。
（この屋外イベント用防護柵Ｓを設置するための地面側の構造について）
地面に形成された孔ｈは、基本的には、図１や図４に示すように、地中に直立状態で埋め込まれた有底パイプ４により構成されているが、より詳細には、広く掘った大孔Ｈの底に砕いた石９０を積み重ね、その上に有底パイプ４を立てると共にその回りにコンクリート９１を流すようにして形成されている。なお、この状態において、有底パイプ４の上端部と地面Ｔとはほぼ一致したものとなっている。
【００１５】
また、有底パイプの上端には、図１や図３に示すように、ヒンジ４１を介して揺動する蓋４０を備えている。
【００１６】
ここで、上記有底パイプ４の内径は、支柱１を構成するパイプよりも僅かに大きな径としてあり、よって、支柱１は有底パイプ４が構成する孔ｈに差し込まれた状態では、屋外イベント用防護柵Ｓはガタ付くことなくしっかりと支持された状態になる。
（孔ｈに対する防護柵Ｓの抜け止め手段について）
孔ｈに対する防護柵Ｓの抜け止め手段は、以下に示す如く支柱１及び蓋４に施されており、抜け止めは南京錠５を利用して行われる。
【００１７】
すなわち、支柱１には、図３に示す如くその直径方向に略Ｊ字状のバー１０を貫通突出させてあり、貫通した先端部にナットを螺合することによりバー１０が支柱１に対して抜け止め状態になると共にバー１０の横Ｕ字部１０ａが常に支柱１の外周面に形成されるようにしてある。また、蓋４０には、図３や図４に示すように、直立姿勢にあるときに上記横Ｕ字部１０ａが挿入される縦方向に長い長孔４０ａを穿設してある。
【００１８】
そして、蓋４０を開けた状態で、図３（ａ）の二点鎖線に示す如く、横Ｕ字部１０ａを押し込んだ状態にした後、支柱１を孔ｈに挿入し、次に、蓋４０の長孔４０ａと対向した横Ｕ字部１０ａを実線位置まで押し出し、続いて、横Ｕ字部１０ａに南京状をかけると抜け止め状態は実行される。抜け止め可能状態にするには、逆の作業をすればよい。
（屋外イベント用防護柵の設置構造の優れた点について）
(1)この屋外イベント用防護柵を構成する支柱１，１を地面Ｔに形成した孔ｈに挿入するだけで、屋外においてイベント会場領域とその他の領域を区画できる。つまり、屋外イベント用防護柵を容易に形成できる。
(2)この屋外イベント用防護柵Ｓは、二本の金属製の支柱１，１と、前記支柱１，１相互間に架設一体化された三本の金属製の棒材２０，２０，２０から成る中間部２と、前記棒材２０と同じ棒材３０で形成され且つ支柱１に一体化されたE型、逆E型のエンド部３から構成されており、全て鋼材又はステンレス材で構成してあるから、全体として強い強度を有するものとなっている。また、支柱1は有底パイプ4で形成された孔ｈに挿入する態様で支えられている。
【００１９】
したがって、誤操縦により自動車がイベント会場領域内に進入しようとしたとき、屋外イベント用防護柵Ｓは転倒又は破壊されることなく人身を十分に守ることができる。
(3)蓋４０の長孔４０ａに横Ｕ字部１０ａを挿入し、蓋４０から突出した横Ｕ字部１０ａに南京状5をかけるだけで、屋外イベント用防護柵Ｓを取り外し不能にできる。
(4)イベント終了時には、南京錠5を外して屋外イベント用防護柵Ｓを取り外し可能状態にし、防護柵Sを地面Tから抜き取った後、蓋４０を閉じる。このような簡単な作業により、元の平坦な状態に戻すことができる。
（その他の実施の形態）
上記実施例１は、二本の支柱１を有する屋外イベント用防護柵Ｓであるが、これに限定されることなく三本以上でもよい。
【００２０】
上記実施例１は、支柱１、中間部２及びエンド部３，３から成る屋外イベント用防護柵Ｓであるが、これに限定されることなく、エンド部３，３を有さないものでもよい。
【００２１】
上記実施例１は、中間部２を棒材で構成したものとしているが、これに限定されることなく、板材でもよい。
【００２２】
上記実施例では、屋外イベント用防護柵Ｓを取り外し不能にする手段を設けたが、必須要件ではない。
【図面の簡単な説明】
【００２３】
【図１】この発明の実施例１における屋外イベント用防護柵の正面図、及び地面に形成した孔の断面図。
【図２】前記屋外イベント用防護柵Ｓの支柱を地面に形成した孔に挿入した状態を示す説明図。
【図３】（ａ）孔を閉蓋した状態を示すと共に支柱の下域部を示した図であり、（ｂ）は孔に対して支柱１を抜け止め状態にした図。
【図４】孔に対して支柱を抜け止めした状態の斜視図。
【符号の説明】
【００２４】
Ｓ      屋外イベント用防護柵
ｈ      孔
１      支柱
１０    バー
１０ａ  横Ｕ字部
２      中間部
２０    棒材
３      エンド部
３０    棒材
４      有底パイプ
４０    蓋
４０ａ  長孔
４１    ヒンジ
５      南京錠
９０    石
９１    コンクリート
【図１】
2007205041.tif 000003
【図２】
2007205041.tif 000004
【図３】
2007205041.tif 000005
【図４】
2007205041.tif 000006